(57)【要約】【課題】医療施設において清潔領域を不潔領域から隔離することができるとともにドレープの引き裂きを容易とする。【解決手段】ドレープのドレープ本体２は、第１シート４１および第２シート４２が積層された２層構造であり、第１シート４１に形成された複数の貫通切り込み４１１の一方の開口を第２シート４２により閉塞することにより、複数の非貫通の切り込み２５１が形成される。ドレープ本体２では、断続的かつ線状に配列された複数の切り込み２５１である切り込み線２５が非貫通切り込み部２３に設けられており、ドレープを患者上から撤去する際には、当該非貫通切り込み部２３が切り込み線２５に沿って引き裂かれる。これにより、医療処置時において医療施設内の清潔領域を、不潔領域である患者の体表から隔離することができるとともに医療処置後におけるドレープの引き裂きを容易とすることができる。【選択図】図３．Ａ
2008154902.tif 000002
【特許請求の範囲】
【請求項１】
医療施設内において患者または医療用物品である被覆対象を覆うシート状のドレープであって、
一方の面に断続的に形成された複数の非貫通の切り込みである切り込み線を有する非貫通切り込み部と、
前記非貫通切り込み部の両側に連続して広がり、前記非貫通切り込み部と共に被覆対象を覆う被覆部と、
を備えることを特徴とするドレープ。
【請求項２】
請求項１に記載のドレープであって、
前記切り込み線が、前記非貫通切り込み部のシート端部から内側に向かって設けられることを特徴とするドレープ。
【請求項３】
請求項２に記載のドレープであって、
前記被覆対象を部分的に露出させる開口が形成されており、
前記非貫通切り込み部が、前記シート端部から前記開口に向かって伸びることを特徴とするドレープ。
【請求項４】
請求項３に記載のドレープであって、
前記被覆対象に対向する面上において前記開口の周囲に配置された粘着層をさらに備え、
前記切り込み線が、前記非貫通切り込み部の前記被覆対象とは反対側の面に形成されており、
前記粘着層が、前記切り込み線に重なって断続的に形成された複数の切り込みを有することを特徴とするドレープ。
【請求項５】
請求項３に記載のドレープであって、
前記被覆対象に対向する面上において前記開口の周囲に配置された粘着層をさらに備え、
前記切り込み線が、前記非貫通切り込み部の前記被覆対象に対向する面に形成されており、前記粘着層が設けられる領域において前記切り込み線が前記粘着層を貫通する切り込みにて形成されていることを特徴とするドレープ。
【請求項６】
請求項１ないし５のいずれかに記載のドレープであって、
前記非貫通切り込み部が、
断続的かつ線状に配列された複数の貫通切り込みが形成された第１シートと、
前記第１シートに積層されて前記複数の貫通切り込みの一方の開口を閉塞することにより前記切り込み線を形成する第２シートと、
を備えることを特徴とするドレープ。
【請求項７】
請求項６に記載のドレープであって、
前記非貫通切り込み部が、前記第１シートに積層されて前記複数の貫通切り込みの他方の開口を閉塞する第３シートをさらに備えることを特徴とするドレープ。
【請求項８】
請求項１ないし７のいずれかに記載のドレープであって、
前記非貫通切り込み部が、プラスチックフィルムにより形成されることを特徴とするドレープ。
【請求項９】
請求項１ないし８のいずれかに記載のドレープであって、
前記被覆部が、無延伸プラスチックフィルムにより形成されることを特徴とするドレープ。
【請求項１０】
請求項１ないし９のいずれかに記載のドレープであって、
前記被覆部が、透明または半透明であることを特徴とするドレープ。
【請求項１１】
請求項１ないし１０のいずれかに記載のドレープであって、
前記切り込み線が有する非貫通の各切り込みが、前記非貫通切り込み部の引き裂き時に、直前に引き裂かれる切り込みから伸びる開裂が到達する予定の範囲を横断することを特徴とするドレープ。
【請求項１２】
請求項１１に記載のドレープであって、
前記切り込み線が、互いに平行な第１切り込み列および第２切り込み列を有し、
前記第１切り込み列が、開裂の進行方向に向かうとともに前記第２切り込み列に向かって傾斜する切り込みの配列であり、
前記第２切り込み列が、前記進行方向に向かうとともに前記第１切り込み列に向かって傾斜する切り込みの配列であることを特徴とするドレープ。
【請求項１３】
請求項１ないし１２のいずれかに記載のドレープであって、
前記被覆対象が、医療処置が行われる患者であることを特徴とするドレープ。
【発明の詳細な説明】
【技術分野】
【０００１】
本発明は、医療施設内において患者または医療用物品である被覆対象を覆うシート状のドレープに関する。
【背景技術】
【０００２】
従来より、手術室や病室等の医療施設内において医療処置が行われる際には、不潔領域と規定される患者の体表や医療装置等の医療用物品の表面を医療用のドレープにて覆い、清潔領域を当該不潔領域から隔離することが行われている。
【０００３】
患者を覆うドレープでは、患者の処置対象部位をドレープから露出させるための開口が設けられている。例えば、特許文献１の医療用のドレープでは、基布の孔（開口）を覆う開窓蓋が基布に固着されており、当該開窓蓋に設けられた矩形枠状のミシン目に沿って開窓蓋の一部を切り離すことにより患者の体表が部分的に露出する。
【０００４】
一方、特許文献２では、眼の周囲においてまぶたに貼付される眼科用のドレープが開示されており、当該ドレープのシートには眼球を露出させる開口部が設けられている。当該ドレープでは、シートの開口からシート端部まで伸びる２本のミシン目が形成されており、ミシン目に沿ってシートを２つに分割して上下のまぶたにそれぞれ貼付することにより、患者の目の大きさや形状に合わせてシートが適切に配置される。
【特許文献１】特開２００４−８１５６６号公報
【特許文献２】特表２００１−５１７５３２号公報
【発明の開示】
【発明が解決しようとする課題】
【０００５】
ところで、医療処置が終了すると、患者を覆っているドレープが患者上から撤去されるが、例えば、硬膜外麻酔や中心静脈カテーテル処置等、患者の体内にチューブ等を挿入した状態で処置を終了する場合、チューブがドレープの開口を介して体内に留置されているため、このままの状態ではドレープを撤去することが困難である。
【０００６】
そこで、開口部から周縁部までハサミを用いてドレープを切り裂いた後、チューブが切り裂き部を通過するようにドレープを撤去することが行われている。しかしながら、ハサミを用いてドレープを切り裂く作業は、ドレープ自体が大きく、さらに、ドレープの下の患者をハサミで傷つけることがないように注意する必要もあるため、作業者（すなわち、施術者）の負担が大きくなってしまう。また、ドレープの撤去に要する時間も増大してしまう。
【０００７】
一方、ハサミを用いずにドレープを容易に切り裂く方法として、特許文献１および特許文献２に示すようなミシン目を予めドレープに形成しておき、ドレープを撤去する際に、当該ミシン目に沿ってドレープを手で引き裂くことが考えられる。しかしながら、特許文献２に記載されているように、ミシン目はシートを貫通して形成されるため、ミシン目を介して不潔領域と清潔領域とが連通してしまい、医療処置時における清潔領域の不潔領域からの隔離が困難となる恐れがある。
【０００８】
本発明は、上記課題に鑑みなされたものであり、清潔領域を不潔領域から隔離することができるとともにドレープの引き裂きを容易とすることを目的としている。
【課題を解決するための手段】
【０００９】
請求項１に記載の発明は、医療施設内において患者または医療用物品である被覆対象を覆うシート状のドレープであって、一方の面に断続的に形成された複数の非貫通の切り込みである切り込み線を有する非貫通切り込み部と、前記非貫通切り込み部の両側に連続して広がり、前記非貫通切り込み部と共に被覆対象を覆う被覆部とを備える。
【００１０】
請求項２に記載の発明は、請求項１に記載のドレープであって、前記切り込み線が、前記非貫通切り込み部のシート端部から内側に向かって設けられる。
【００１１】
請求項３に記載の発明は、請求項２に記載のドレープであって、前記被覆対象を部分的に露出させる開口が形成されており、前記非貫通切り込み部が、前記シート端部から前記開口に向かって伸びる。
【００１２】
請求項４に記載の発明は、請求項３に記載のドレープであって、前記被覆対象に対向する面上において前記開口の周囲に配置された粘着層をさらに備え、前記切り込み線が、前記非貫通切り込み部の前記被覆対象とは反対側の面に形成されており、前記粘着層が、前記切り込み線に重なって断続的に形成された複数の切り込みを有する。
【００１３】
請求項５に記載の発明は、請求項３に記載のドレープであって、前記被覆対象に対向する面上において前記開口の周囲に配置された粘着層をさらに備え、前記切り込み線が、前記非貫通切り込み部の前記被覆対象に対向する面に形成されており、前記粘着層が設けられる領域において前記切り込み線が前記粘着層を貫通する切り込みにて形成されている。
【００１４】
請求項６に記載の発明は、請求項１ないし５のいずれかに記載のドレープであって、前記非貫通切り込み部が、断続的かつ線状に配列された複数の貫通切り込みが形成された第１シートと、前記第１シートに積層されて前記複数の貫通切り込みの一方の開口を閉塞することにより前記切り込み線を形成する第２シートとを備える。
【００１５】
請求項７に記載の発明は、請求項６に記載のドレープであって、前記非貫通切り込み部が、前記第１シートに積層されて前記複数の貫通切り込みの他方の開口を閉塞する第３シートをさらに備える。
【００１６】
請求項８に記載の発明は、請求項１ないし７のいずれかに記載のドレープであって、前記非貫通切り込み部が、プラスチックフィルムにより形成される。
【００１７】
請求項９に記載の発明は、請求項１ないし８のいずれかに記載のドレープであって、前記被覆部が、無延伸プラスチックフィルムにより形成される。
【００１８】
請求項１０に記載の発明は、請求項１ないし９のいずれかに記載のドレープであって、前記被覆部が、透明または半透明である。
【００１９】
請求項１１に記載の発明は、請求項１ないし１０のいずれかに記載のドレープであって、前記切り込み線が有する非貫通の各切り込みが、前記非貫通切り込み部の引き裂き時に、直前に引き裂かれる切り込みから伸びる開裂が到達する予定の範囲を横断する。
【００２０】
請求項１２に記載の発明は、請求項１１に記載のドレープであって、前記切り込み線が、互いに平行な第１切り込み列および第２切り込み列を有し、前記第１切り込み列が、開裂の進行方向に向かうとともに前記第２切り込み列に向かって傾斜する切り込みの配列であり、前記第２切り込み列が、前記進行方向に向かうとともに前記第１切り込み列に向かって傾斜する切り込みの配列である。
【００２１】
請求項１３に記載の発明は、請求項１ないし１２のいずれかに記載のドレープであって、前記被覆対象が、医療処置が行われる患者である。
【発明の効果】
【００２２】
本発明では、清潔領域を不潔領域から隔離することができるとともにドレープの引き裂きを容易とすることができる。請求項４および５の発明では、開口が被覆対象からずれることを防止しつつ非貫通切り込み部の引き裂きの容易さを確保することができる。請求項６の発明では、ドレープの製造を容易とすることができる。
【００２３】
請求項７の発明では、ドレープからのリントの発生を防止することができる。請求項８の発明では、ドレープを引き裂く際のリントの発生を防止することができる。請求項１１および１２の発明では、ドレープを引き裂く際に、開裂が切り込み線から逸れることを防止することができる。
【発明を実施するための最良の形態】
【００２４】
図１は、本発明の第１の実施の形態に係る医療用のドレープ１を示す平面図である。ドレープ１は、滅菌処理が施されたシート状部材であり、手術室や病室等の医療施設内において手術等の医療処置が行われる患者を覆うことにより、不潔領域である患者の体表から清潔領域を隔離する。
【００２５】
図１に示すように、ドレープ１は、略中央に円形の開口２０が形成された矩形状のドレープ本体２、および、ドレープ本体２の患者に対向する面２１（すなわち、不潔領域に対向する側の面であり、以下、「下面２１」と呼ぶが、使用時に物理的に下方を向いている必要はない。）において開口２０の周囲に形成された粘着層３を備える。ドレープ１により患者を覆う際には、開口２０が医療処置が行われる部位（以下、「処置対象部位」という。）上に位置するようにドレープ本体２が配置された状態で、粘着層３が当該処置対象部位の周囲の皮膚に貼付されることにより、処置対象部位がドレープ本体２から露出する。換言すれば、ドレープ１により患者が覆われた状態では、開口２０を介して患者の体表が部分的に露出しており、当該開口２０を介することにより、患者の処置対象部位に容易にアクセスすることができる。
【００２６】
ドレープ本体２では、開口２０を通る矩形状の細長い領域２３０（図１中において二点鎖線にて囲んで示す。）において、患者とは反対側の面２２（すなわち、施術者が立つ清潔領域に対向する側の面であり、以下、「上面２２」と呼ぶが、使用時に物理的に上方を向く必要はない。）に、下面２１に非貫通とされる２本の切り込み線２５ａ，２５ｂ（すなわち、開口２０から上下に伸びる切り込み線）が形成される。以下の説明では、ドレープ本体２の上記領域２３０に含まれる部位を、「非貫通切り込み部２３」と呼び、ドレープ本体２の非貫通切り込み部２３以外の部位２４（すなわち、図１中の非貫通切り込み部２３の左右両側において非貫通切り込み部２３に連続して広がる部位）を、「被覆部２４」と呼ぶ。
【００２７】
各切り込み線２５ａ，２５ｂは、上面２２に形成された複数の非貫通の切り込みが断続的かつ線状に配列されることにより形成されている。図１では、図示の都合上、切り込み線２５ａ，２５ｂを破線の集合として簡略化して描いているが、実際の切り込み線２５ａ，２５ｂの複数の切り込みの形状は、図１に示すものとは異なる（図４においても同様）。切り込み線２５ａ，２５ｂの複数の切り込みの詳細な形状については後述する。
【００２８】
ドレープ本体２の非貫通切り込み部２３では、一方の切り込み線２５ａが、ドレープ１のシート端部（すなわち、ドレープ本体２の外周エッジ）から開口２０に向かって（すなわち、ドレープ本体２の内側に向かって）直線状に伸びている。また、他方の切り込み線２５ｂは、開口２０の切り込み線２５ａとは反対側において、切り込み線２５ａの延長上に配置され、ドレープ１のシート端部から開口２０に向かって直線状に伸びている。医療施設内では、ドレープ１のドレープ本体２（すなわち、非貫通切り込み部２３および被覆部２４）により患者が覆われており、開口２０を介して医療処置が行われた後、ドレープ１が患者上から撤去される。
【００２９】
ところで、例えば、硬膜外麻酔や中心静脈カテーテル処置等、患者の体内にチューブ等を挿入した状態で処置を終了する場合、当該チューブがドレープ１の開口２０を介して体内に留置されているため、このままの状態ではドレープを撤去することが困難である。このような場合、ドレープ１の患者上からの撤去時には、ドレープ本体２の非貫通切り込み部２３が、施術者の手によりハサミ等の器具を利用することなく切り込み線２５ａ，２５ｂ（以下、「切り込み線２５」と総称する。）のいずれか一方（あるいは、双方）に沿って引き裂かれる。このとき、非貫通切り込み部２３は通常、開口２０側からドレープ１のシート端部に向けて引き裂かれる。以下の説明では、各切り込み線２５に沿って開口２０側からシート端部に向かう方向（すなわち、非貫通切り込み部２３の引き裂き時に開裂が伸展する方向）を、各切り込み線２５または開裂の「進行方向」という。
【００３０】
図２は、ドレープ１の図１中における上側の切り込み線（すなわち、切り込み線２５ａ）近傍の部位を拡大して示す平面図である。以下、図２を参照しつつ切り込み線２５の複数の切り込みの形状および配置について説明する。なお、図１中における下側の切り込み線（すなわち、切り込み線２５ｂ）では、複数の切り込みの形状および配置は、切り込み線２５ａと１８０°向きが異なる点を除いて同様である。
【００３１】
図２に示すように、切り込み線２５の複数の切り込み２５１は、それぞれが切り込み線２５の進行方向（すなわち、図２中の上向きの方向）に対して一方側（すなわち、図２中における時計回りの方向）に所定の角度だけ傾く直線状の複数の第１切り込み（以下、符号「２５１ａ」を付す。）、および、複数の第１切り込み２５１ａの図２中における右側に配置され、それぞれが当該切り込み線２５の進行方向に対して他方側（すなわち、図２中における反時計回りの方向）に所定の角度だけ傾く直線状の複数の第２切り込み（以下、符号「２５１ｂ」を付す。）を含む。
【００３２】
各第１切り込み２５１ａおよび各第２切り込み２５１ｂの進行方向に対する傾きの大きさは等しく、本実施の形態では、それぞれ時計回りに約４５°、および、反時計回りに約４５°とされる。すなわち、各第１切り込み２５１ａは、進行方向側の端部が複数の第２切り込み２５１ｂに近づく方向に傾いており、各第２切り込み２５１ｂは、進行方向側の端部が複数の第１切り込み２５１ａに近づく方向に傾いている。
【００３３】
切り込み線２５では、複数の第１切り込み２５１ａが切り込み線２５の進行方向に平行な３列に配列されおり、複数の第２切り込み２５１ｂも、第１切り込み２５１ａの各配列に隣接するように切り込み線２５の進行方向に平行に３列に配列されている。以下の説明では、第１切り込み２５１ａの３つの配列を、それぞれ「第１切り込み列２５２ａ」といい、第２切り込み２５１ｂの３つの配列を、それぞれ「第２切り込み列２５２ｂ」という。第１切り込み列２５２ａと第２切り込み列２５２ｂとは、第１切り込み列２５２ａの進行方向に向かって右側に必ず第２切り込み列２５２ｂが存在するように、切り込み線２５の幅方向に交互に配置される。換言すれば、図２中の左側から右側に向かって、３組の第１切り込み列２５２ａおよび第２切り込み列２５２ｂの組合せが幅方向に配列される。
【００３４】
第１切り込み列２５２ａおよび第２切り込み列２５２ｂの各組合せでは、複数の第１切り込み２５１ａが、開裂の進行方向に向かうとともに第２切り込み列２５２ｂに向かって傾斜しており、複数の第２切り込み２５１ｂが、開裂の進行方向に向かうとともに第１切り込み列２５２ａに向かって傾斜している。また、第１切り込み列２５２ａに含まれる複数の第１切り込み２５１ａはそれぞれ、第２切り込み列２５２ｂに含まれる複数の第２切り込み２５１ｂと幅方向において隣接しており、１組の隣接する第１切り込み２５１ａおよび第２切り込み２５１ｂは、「ハ」の字状となっている。
【００３５】
各第１切り込み列２５２ａでは、複数の第１切り込み２５１ａの進行方向側の端部、および、進行方向とは反対側の端部がそれぞれ進行方向に平行な直線上に位置しており、各第２切り込み列２５２ｂでも同様に、複数の第２切り込み２５１ｂの進行方向側の端部、および、進行方向とは反対側の端部がそれぞれ進行方向に平行な直線上に位置している。
【００３６】
また、第１切り込み列２５２ａにおいて、第１切り込み２５１ａの進行方向側の端部から当該端部近傍の傾きに沿って延長された延長線２５４（図２中において、破線にて示す。）は、進行方向側に配置される第２切り込み２５１ｂと交差する（第２切り込み列２５２ｂにおいても同様）。第１切り込み列２５２ａおよび第２切り込み列２５２ｂをこのように配置することにより、例えば、一の第１切り込み２５１ａから若干左側に傾きつつ引き裂き時の開裂が進んだとしても次の第１切り込み２５１ａへと到達し、若干右側に傾きつつ開裂が進んだとしてもいずれかの第２切り込み２５１ｂへと到達することとなる。このように、切り込み線２５の第１切り込み列２５２ａおよび第２切り込み列２５２ｂの各組合せでは、複数の切り込み２５１が、非貫通切り込み部２３の引き裂き時に直前に引き裂かれる切り込み２５１から伸びる開裂が到達する予定の範囲を横断するように配置される。
【００３７】
図３．Ａは、ドレープ１を図１および図２中のＡ−Ａの位置にて切断した断面を示す図である。図３．Ａでは、切り込み線２５近傍の断面を示しており、図示の都合上、各切り込み２５１の幅を実際よりも大きく描いている。図３．Ａに示すように、ドレープ本体２は、２枚のシート状部材４１，４２が積層された２層構造であり、以下の説明では、患者とは反対側のシート状部材を「第１シート４１」、患者に対向するシート状部材を「第２シート４２」と呼ぶ。第１シート４１には、断続的かつ線状に配列された複数の貫通切り込み４１１が形成されており、平滑な（すなわち、切り込みが形成されていない）第２シート４２が第１シート４１の一方の面上に押出ラミネート等により積層されて複数の貫通切り込み４１１の一方（すなわち、下側）の開口を閉塞することにより、切り込み線２５の複数の切り込み２５１が形成される。
【００３８】
第１シート４１および第２シート４２は、好ましくは、ポリエチレンフィルムやポリプロピレンフィルム等のポリオレフィン系のプラスチックフィルムにより形成され、本実施の形態では、透明または半透明の無延伸フィルムにより形成されている。第１シート４１および第２シート４２の合計厚さ（すなわち、ドレープ本体２の厚さ）は、好ましくは、６０μｍ〜１００μｍである。ドレープ本体２の厚さが６０μｍ以上とされることにより、ドレープ１の強度を十分に確保することができ、ドレープ本体２の厚さが１００μｍ以下とされることにより、ドレープ１の風合いを柔らかくしてドレープ１の患者に対する密着性を向上することができる。
【００３９】
また、第１シート４１および第２シート４２には、帯電防止処理が施されている。このため、空気中に浮遊する繊維片（いわゆる、リント）や埃等を吸着してしまうことを防止することができる。帯電防止処理は、例えば、第１シート４１および第２シート４２の元部材となるプラスチックフィルムを形成する際に、プラスチック材料に帯電防止材料（例えば、陰イオン性界面活性剤、陽イオン性界面活性剤、非イオン性界面活性剤、両性界面活性剤）を含有させることにより行われる。また、当該プラスチックフィルムの表面に帯電防止材料をコーティングすることにより、帯電防止処理が行われてもよい。
【００４０】
図３．Ｂは、ドレープ１を図１および図２中のＢ−Ｂの位置にて切断した断面を示す図である。図３．Ｂでは、切り込み線２５近傍の断面を示している。図３．Ｂに示すように、粘着層３は、平面視においてドレープ本体２の切り込み線２５の一部（すなわち、平面視において粘着層３と重なっている複数の切り込み２５１）に重なって断続的に形成された複数の切り込み２６１である粘着層切り込み線２６を非貫通切り込み部２３に有する。図３．Ｂでは、図示の都合上、各切り込み２６１の幅を実際よりも大きく描いている。複数の切り込み２６１は、粘着層３を貫通して形成されており、当該複数の切り込み２６１の一方の開口（すなわち、図３．Ｂ中の上側の開口）はドレープ本体２により閉塞される。
【００４１】
図１に示すドレープ１の非貫通切り込み部２３が引き裂かれる際には、ドレープ本体２および粘着層３が、開口２０のエッジから切り込み線２５および粘着層切り込み線２６（図３．Ｂ参照）に沿って引き裂かれ、粘着層３の端部に到達した後は、ドレープ本体２のみが切り込み線２５に沿って引き裂かれる（図２参照）。
【００４２】
以上に説明したように、ドレープ１では、複数の切り込み２５１である切り込み線２５がドレープ本体２の非貫通切り込み部２３に設けられており、ドレープ１を患者上から撤去する際には、必要に応じて、当該非貫通切り込み部２３が切り込み線２５に沿って引き裂かれる。また、非貫通切り込み部２３では、切り込み線２５の複数の切り込み２５１がドレープ本体２に対して非貫通とされる（すなわち、複数の切り込み２５１がドレープ本体２の上面２２に形成されて下面２１に対して非貫通とされる）。これにより、医療処置時において医療施設内の清潔領域を不潔領域である患者の体表から隔離することができるとともに医療処置後におけるドレープ１の引き裂きを容易とすることができる。その結果、ドレープ１の撤去を容易かつ迅速に行うことができる。ドレープ１では、切り込み線２５が、複数の切り込み２５１を断続的に配列することにより形成されているため、ドレープ１の強度を十分に確保することができる。
【００４３】
医療処置が行われる際には、患者の負担軽減等の観点から、医療処置に要する時間は可能な限り短縮されることが好ましい。上述のように、ドレープ１は、切り込み線２５に沿って容易に引き裂くことができ、撤去を迅速に行って医療処置に要する時間を短縮することができるため、医療施設内において医療処置が行われる患者の被覆に特に適している。また、ドレープ１は、切り込み線２５を非貫通とすることにより清潔領域を不潔領域から隔離することができるため、発汗等により不潔領域となりやすい患者の体表を覆うドレープに特に適している。
【００４４】
ドレープ１では、ドレープ本体２の下面２１において、開口２０の周囲に粘着層３が配置されており、粘着層３に、ドレープ本体２に形成された切り込み線２５と重なる粘着層切り込み線２６が形成されることにより、開口２０が患者の処置対象部位からずれることを防止しつつ、粘着層３が設けられる部位においても非貫通切り込み部２３の引き裂きの容易さを確保することができる。
【００４５】
ところで、シート状の基材にミシン目等の切り込み線を形成する方法として、外側面に複数の切断刃が設けられた円筒状のロールカッタを回転させた状態で、シート状の基材を、ロールカッタの外側面と支持部材との間を通過させることにより、複数の切断刃により基材の複数箇所に小さな貫通切り込みを形成する方法が知られている。この方法において、切り込み線をシート状の基材に対して非貫通とする場合、ロールカッタの切断刃とシート状の基材との間の距離を精度良く制御する必要がある。特に、シート状の基材が薄い場合には、当該距離に対してさらに高精度な制御が求められる。
【００４６】
これに対し、ドレープ１では、ドレープ本体２が第１シート４１および第２シート４２の２層構造とされ、第１シート４１の複数の貫通切り込み４１１の一方の開口が、第２シート４２により閉塞されることにより、ドレープ本体２に対して非貫通である切り込み線２５の複数の切り込み２５１が形成される。ドレープ１の製造では、第１シート４１の複数の貫通切り込み４１１は、上述のロールカッタを利用する方法により容易に形成される。したがって、単層構造のドレープ本体に非貫通の切り込みを形成する場合に比べて、切り込み線２５を容易かつ確実に形成することができ、ドレープ１を容易に製造することができる。
【００４７】
なお、ドレープ１では、ドレープ本体２の非貫通切り込み部２３のみを、第１シート４１および第２シート４２により構成される２層構造とし、被覆部２４を単層構造とした場合であっても、上記と同様に、非貫通の切り込み線２５を容易かつ確実に形成することができ、ドレープ１を容易に製造することができる。
【００４８】
上述のように、切り込み線２５では、複数の切り込み２５１のそれぞれが直線状とされる。このため、上述のロールカッタの外側面に設けられる複数の切断刃の形状を簡素なものとすることができ、ドレープ１の製造に係るコストを低減することができる。
【００４９】
切り込み線２５の第１切り込み列２５２ａおよび第２切り込み列２５２ｂの各組合せでは、各切り込み２５１が、非貫通切り込み部２３の引き裂き時に直前に引き裂かれる切り込み２５１から伸びる開裂が到達する予定の範囲を横断するように配置される。これにより、ドレープ１の非貫通切り込み部２３を引き裂く際に、開裂が切り込み線２５から逸れて進行方向とは異なる方向に伸展してしまうことを防止することができる。
【００５０】
また、第１切り込み列２５２ａおよび第２切り込み列２５２ｂの各組合せでは、複数の第１切り込み２５１ａが、開裂の進行方向に向かうとともに第２切り込み列２５２ｂに向かって傾斜しており、複数の第２切り込み２５１ｂが、開裂の進行方向に向かうとともに第１切り込み列２５２ａに向かって傾斜している。このため、開裂が第１切り込み２５１ａまたは第２切り込み２５１ｂに到達すると、当該開裂は、第１切り込み２５１ａまたは第２切り込み２５１ｂにより第１切り込み列２５２ａと第２切り込み列２５２ｂとの間の領域に向かって導かれる。これにより、ドレープ１の非貫通切り込み部２３を引き裂く際に、開裂が切り込み線２５から逸れてしまうことをさらに確実に防止することができる。
【００５１】
さらには、切り込み線２５が、各第１切り込み２５１ａおよび各第２切り込み２５１ｂの進行方向側の端部を近づけて隣接して配置される第１切り込み列２５２ａおよび第２切り込み列２５２ｂの組み合わせを３組有するため、ドレープ１の非貫通切り込み部２３を引き裂く際に、開裂が切り込み線２５から逸れてしまうことをより一層確実に防止することができる。
【００５２】
ドレープ１では、ドレープ本体２（すなわち、第１シート４１および第２シート４２）がプラスチックフィルムにより形成されているため、ドレープ１の非貫通切り込み部２３を引き裂く際のリント（すなわち、繊維片）の発生を防止することができる。特に、本実施の形態では、ドレープ本体２の全体が無延伸プラスチックフィルムにより形成されているため、ドレープ１の風合いを柔らかくすることができ、その結果、ドレープ１の患者に対する密着性を向上して患者をより確実に覆うことができる。
【００５３】
なお、ドレープ１では、ドレープ本体２の非貫通切り込み部２３のみがプラスチックフィルムにより形成され、被覆部２４が他の材料により形成されている場合であっても、上記と同様に、ドレープ１の非貫通切り込み部２３を引き裂く際のリントの発生を防止することができる。また、ドレープ本体２では、被覆部２４の面積が非貫通切り込み部２３に比べて大きいため、上記とは逆に、被覆部２４のみが無延伸プラスチックフィルムにより形成され、非貫通切り込み部２３が他の材料により形成されている場合であっても、ドレープ１の風合いを柔らかくすることができ、ドレープ１の患者に対する密着性を向上して患者をより確実に覆うことができる。
【００５４】
上述のように、ドレープ１では、ドレープ本体２（すなわち、非貫通切り込み部２３および被覆部２４）が透明または半透明とされるため、ドレープ１を介して患者や手術台等のドレープ１に覆われている被覆対象を容易に視認することができる。その結果、医療処置中の患者の様子を容易に確認するすることができるとともに、医療処置後の患者上からのドレープ１の撤去を容易とすることができる。また、医療処置前に患者をドレープ１により覆う際にも、当該被覆を容易とすることができる。なお、ドレープ本体２では、被覆部２４の面積が非貫通切り込み部２３に比べて大きいため、被覆部２４のみが透明または半透明とされ、非貫通切り込み部２３が不透明とされる場合であっても、医療処置中の患者の様子を容易に確認するすることができるとともに、医療処置後の患者上からのドレープ１の撤去を容易とすることができる。
【００５５】
次に、第２の実施の形態に係るドレープについて説明する。図４は、第２の実施の形態に係るドレープ１ａを示す平面図であり、図５は、ドレープ１ａを図４中のＣ−Ｃの位置にて切断した断面の一部を拡大して示す図である。図４および図５に示すように、ドレープ１ａでは、ドレープ本体２の非貫通切り込み部２３の下面２１に非貫通の切り込み線２５が形成される。その他の構成は、図１ないし図３．Ｂに示すドレープ１と同様であり、以下の説明において同符号を付す。
【００５６】
図５に示すように、ドレープ１ａのドレープ本体２は、第１の実施の形態と同様に、第１シート４１および第２シート４２を備える２層構造とされる。ドレープ１ａでは、第２シート４２に断続的かつ線状に配列された複数の貫通切り込み４１１が形成されており、平滑な第１シート４１により複数の貫通切り込み４１１の一方の開口が閉塞されることにより、切り込み線２５の複数の非貫通の切り込み２５１が形成される。なお、図５では図４に示す粘着層３も示されている。
【００５７】
ドレープ１ａでは、第１の実施の形態と同様に、複数の非貫通の切り込み２５１である切り込み線２５がドレープ本体２の非貫通切り込み部２３に設けられることにより、医療処置時において医療施設内の清潔領域を、不潔領域である患者の体表から隔離することができるとともに医療処置後におけるドレープ１ａの非貫通切り込み部２３の引き裂きを容易とすることができる。その結果、ドレープ１ａの撤去を容易かつ迅速に行うことができる。
【００５８】
図５に示すように、ドレープ１ａでは、粘着層３が、ドレープ本体２の切り込み線２５の一部（すなわち、平面視において粘着層３と重なっている複数の切り込み２５１）に重なって断続的に形成された複数の切り込み２６１を有する。換言すれば、粘着層３が設けられる領域において、切り込み線２５は粘着層３を貫通する切り込みにて形成されている。これにより、第１の実施の形態と同様に、開口２０が患者の処置対象部位からずれることを防止しつつ、粘着層３が設けられる部位においても非貫通切り込み部２３の引き裂きの容易さを確保することができる。
【００５９】
第２の実施の形態に係るドレープ１ａでは、特に、粘着層３が設けられる領域において、複数の切り込み２５１と複数の切り込み２６１とを同時に（すなわち、一の切り込み工程により）形成することができる。このため、図３．Ｂに示すドレープ１のように切り込み線２５が、ドレープ本体２の粘着層切り込み線２６が形成される側とは反対側の上面２２に形成される場合に比べて、ドレープ１ａの製造を容易とすることができる。
【００６０】
一方、第１の実施の形態に係るドレープ１では、図３．Ａおよび図３．Ｂに示すように、切り込み線２５がドレープ本体２の非貫通切り込み部２３の上面２２に形成されているため、図５に示すように切り込み線２５がドレープ本体２の下面２１に形成される場合に比べて、施術者による切り込み線２５の視認を容易とすることができ、非貫通切り込み部２３の引き裂きをより容易とすることができる。
【００６１】
次に、第３の実施の形態に係るドレープについて説明する。図６は、第３の実施の形態に係るドレープ１ｂの一部を示す断面図であり、図３．Ｂおよび図５に対応する部位を示す。図６に示すように、ドレープ１ｂは、第１シート４１の第２シート４２とは反対側に積層される第３シート４３を備える。その他の構成は、図１ないし図３．Ｂに示すドレープ１と同様であり、以下の説明において同符号を付す。
【００６２】
図６に示すように、ドレープ１ｂのドレープ本体２は、第１シート４１、第２シート４２および第３シート４３を備える３層構造とされる。ドレープ１ｂでは、第１シート４１に形成されている複数の貫通切り込み４１１の第２シート４２とは反対側の開口が第３シート４３により閉塞される。これにより、ドレープ本体２の内部に（すなわち、ドレープ本体２の下面２１と上面２２との間に）、それぞれが密閉された微小空間である複数の非貫通の切り込み２５１が形成される。
【００６３】
ドレープ１ｂでは、第１の実施の形態と同様に、複数の非貫通の切り込み２５１である切り込み線２５がドレープ本体２の非貫通切り込み部２３に設けられることにより、医療処置時において医療施設内の清潔領域を、不潔領域である患者の体表から隔離することができるとともに医療処置後におけるドレープ１ｂの非貫通切り込み部２３の引き裂きを容易とすることができる。その結果、ドレープ１ｂの撤去を容易かつ迅速に行うことができる。
【００６４】
図６に示すように、ドレープ１ｂでは、粘着層３が、ドレープ本体２の切り込み線２５の一部（すなわち、平面視において粘着層３と重なっている複数の切り込み２５１）に重なって断続的に形成された複数の切り込み２６１を有する。これにより、第１の実施の形態と同様に、開口２０が患者の処置対象部位からずれることを防止しつつ、粘着層３が設けられる部位においても非貫通切り込み部２３の引き裂きの容易さを確保することができる。
【００６５】
第３の実施の形態に係るドレープ１ｂでは、特に、第１シート４１の両面が第２シート４２および第３シート４３により覆われ、さらに、複数の切り込み２５１が密閉されるため、当該複数の切り込み２５１の形成時に発生した微小な切削屑が切り込み２５１内や第１シート４１の表面に付着していた場合であっても、これらの切削屑が医療施設内に浮遊してリントとなること（すなわち、ドレープ１ｂからのリントの発生）を防止することができる。
【００６６】
なお、複数の切り込み２５１の形成時に発生した切削屑が第１シート４１に付着する場合、切削屑の付着領域は切り込み線２５の近傍（すなわち、非貫通切り込み部２３）となる可能性が高い。したがって、ドレープ本体２の非貫通切り込み部２３のみを、第１シート４１、第２シート４２および第３シート４３により構成される３層構造とし、被覆部２４を単層構造とした場合であっても、上記と同様に、ドレープ１ｂからのリントの発生を防止（あるいは、抑制）することができる。
【００６７】
以上、本発明の実施の形態について説明してきたが、本発明は上記実施の形態に限定されるものではなく、様々な変更が可能である。
【００６８】
例えば、上記実施の形態に係るドレープが患者上から撤去される際には、非貫通切り込み部２３が、ドレープのシート端部から開口２０に向けて引き裂かれてもよい。この場合であっても、複数の切り込み２５１が、直前に引き裂かれる切り込み２５１から伸びる開裂が到達する予定の範囲を横断するように配置されているため、引き裂き時の開裂が切り込み線２５から逸れて進行方向とは異なる方向に伸展してしまうことを防止することができる。
【００６９】
上記実施の形態にかかるドレープの非貫通切り込み部２３では、粘着層切り込み線２６の複数の切り込み２６１は、必ずしも切り込み線２５の複数の切り込み２５１に重なって形成される必要はなく、切り込み線２５の切り込み２５１と異なる形状の切り込み２６１が粘着層３に形成されてもよい。例えば、進行方向に平行な直線状の複数の切り込みが、粘着層３において進行方向に沿って直線状に配列されて形成されることにより、非貫通切り込み部２３に粘着層切り込み線２６が設けられてもよい。
【００７０】
上記実施の形態にかかるドレープの切り込み線２５では、３組の第１切り込み列２５２ａおよび第２切り込み列２５２ｂの組み合わせが幅方向に配列されているが、１組または２組の第１切り込み列２５２ａおよび第２切り込み列２５２ｂの組み合わせが切り込み線２５とされてもよい。あるいは、切り込み線２５は、４組以上の第１切り込み列２５２ａおよび第２切り込み列２５２ｂの組み合わせを備えていてもよい。
【００７１】
切り込み線２５の複数の切り込み２５１の形状および配置は、上記実施の形態において説明されたものには限定されない。図７．Ａないし図７．Ｇは、切り込み線２５の他の好ましい例を示す図である。図７．Ａないし図７．Ｇでは、非貫通切り込み部２３の引き裂き時に、図中の下側から上側に向かって開裂が伸展する。すなわち、図中の下側から上側に向かう方向が開裂の進行方向となっている。なお、図７．Ｂないし図７．Ｅでは、図中の上側から下側に向かう方向が開裂の進行方向とされてもよい。図７．Ａないし図７．Ｇに示す切り込み線２５では、非貫通の各切り込みが、非貫通切り込み部２３の引き裂き時に、直前に引き裂かれる切り込みから伸びる開裂が到達する予定の範囲を横断する。
【００７２】
図７．Ａの切り込み線２５では、図２と同様の直線状の複数の第１切り込み２５１ｃおよび第２切り込み２５１ｄが開列の進行方向に沿って交互に配置される。各第１切り込み２５１ｃは、進行方向に向かうとともに進行方向にて隣接する切り込み２５１ｄに向かって傾斜しており、各第２切り込み２５１ｄは、開列の進行方向に向かうとともに進行方向にて隣接する第１切り込み２５１ｃに向かって傾斜している。
【００７３】
図７．Ｂの切り込み線２５では、開裂の進行方向に関して線対称に配置された半円弧状の切り込み２５１ｅ，２５１ｆが、両側の端部を互いに対向させつつ進行方向に沿って複数配列される。図７．Ｃの切り込み線２５では、図７．Ｂと同様の半円弧状の複数の切り込み２５１ｅが、複数の切り込み２５１ｆに対して進行方向にずれて配列されており、さらに、各切り込み２５１ｅの端部が、幅方向において各切り込み２５１ｆの端部と重なっている。
【００７４】
図７．Ｄの切り込み線２５では、開裂の進行方向に関して線対称に配置された２つの直線部からなる折れ線状（いわゆる、くの字状）の切り込み２５１ｇ，２５１ｈが、両側の端部を互いに対向させつつ進行方向に沿って複数配列される。図７．Ｅの切り込み線２５では、図７．Ｄと同様の折れ線状の複数の切り込み２５１ｇが、複数の切り込み２５１ｈに対して進行方向にずれて配列されており、各切り込み２５１ｇの端部が、幅方向において各切り込み２５１ｈの端部と重なっている。
【００７５】
図７．Ｆの切り込み線２５では、逆Ｙ字状の複数の切り込み２５１ｉが進行方向に沿って配列される。図７．Ｇの切り込み線２５では、図７．Ｆに示す切り込み２５１ｉの進行方向と反対側の２つの直線部を半円弧状に変更した形状を有する切り込み２５１ｊが進行方向に沿って配列される。図７．Ｆの切り込み線２５では、切り込み２５１ｉを１８０°回転させた切り込み（すなわち、Ｙ字状の切り込み）が、複数の切り込み２５１ｉに隣接して複数配置されてもよい。これにより、図中の上側から下側に向けて引き裂かれる場合であっても、引き裂き時の開裂が切り込み線２５から逸れて進行方向とは異なる方向に伸展してしまうことを防止することができる（図７．Ｇにおいても同様）。
【００７６】
また、切り込み線２５では、進行方向に平行な直線状の複数の切り込みが、進行方向に沿って直線状に配列されてもよく、当該切り込みの列が、幅方向に２列以上配列されてもよい。また、平面視において円形の複数の微小凹部が、切り込み線２５の複数の非貫通の切り込みとされてもよい。ドレープ１では、１本のみまたは３本以上の切り込み線２５がドレープ本体２に設けられてもよい。
【００７７】
非貫通切り込み部２３では、切り込み線は、必ずしもドレープのシート端部から設けられる必要はなく、例えば、シート端部よりも内側から開口２０に向かって直線状に伸びるように設けられてもよい。また、切り込み線は、必ずしも直線状とされる必要はなく、例えば、ドレープのシート端部と開口２０との間で蛇行するように設けられてもよい。
【００７８】
上記実施の形態に係るドレープでは、ドレープ本体２は必ずしも２層構造または３層構造とされる必要はなく、例えば、プラスチックフィルムを４層以上積層することによりドレープ本体２が形成されてもよい。また、切り込み線２５の複数の切り込み２５１の深さを高精度に制御して非貫通とすることができる場合には、ドレープ本体２は単層構造とされてもよい。
【００７９】
ドレープ本体２は、必ずしも、押出ラミネートにより形成される必要はなく、例えば、複数の貫通切り込みが形成された単層（または、積層構造）のプラスチックフィルムに、当該複数の貫通切り込みの一方または双方の開口を閉塞する帯状の粘着テープ等が貼付されることにより形成されてもよい。また、複数の貫通切り込みが形成された単層（または、積層構造）のプラスチックフィルムに対して、一方または双方の主面に樹脂等がコーティングされることにより、非貫通の切り込み線２５を有するドレープ本体２が形成されてもよい。
【００８０】
ドレープ本体２は、必ずしも、プラスチックフィルムにより形成される必要はなく、例えば、不織布により形成されてもよい。非貫通切り込み部２３を引き裂く際のリントの発生を防止するという観点から、非貫通切り込み部２３がプラスチックフィルムにより形成され、被覆部２４が不織布により形成されてもよい。
【００８１】
上記実施の形態に係るドレープでは、開口２０は必ずしもドレープ本体２の中央に形成される必要はなく、医療処置の内容に応じてドレープ本体２の様々な位置に設けられてよい。また、開口２０の形状も円形には限定されず、医療処置の内容に応じて楕円形や矩形等、様々な形状とされてよい。
【００８２】
図８は、ドレープの他の好ましい例を示す平面図である。図８に示すドレープ１ｃでは、ドレープ本体２が、円形の開口２０が形成された矩形状のプラスチックフィルム１１、および、プラスチックフィルム１１の３辺に連続する不織布１２を備え、プラスチックフィルム１１には、開口２０から直線状に伸びる２本の非貫通の切り込み線２５ａ，２５ｂが非貫通切り込み部２３に形成されている。切り込み線２５ａは、ドレープ１ｃのシート端部から開口２０に向かって伸びており、ドレープ１ｃが患者上から撤去される際には、切り込み線２５ａが開口２０側またはシート端部側から引き裂かれる。
【００８３】
図９は、ドレープの他の好ましい例を示す平面図である。図９に示すドレープ１ｄでは、円周状の複数の非貫通切り込み部２３ａがドレープ本体２上において同心円状に設けられており、各非貫通切り込み部２３ａの外側および内側（すなわち、両側）の部位が被覆部２４となる。ドレープ１ｄにより患者が覆われる際には、処置対象部位の大きさに合わせていずれか一の非貫通切り込み部２３ａが引き裂かれ、当該非貫通切り込み部２３ａの内側の部位がドレープ本体２から除去されることにより開口が形成される。なお、ドレープ１ｄでは、非貫通切り込み部２３ａは、環状に設けられるのであれば、矩形枠状等の他の形状とされてもよい。
【００８４】
上記実施の形態に係るドレープは、必ずしも、医療処置が行われる患者の被覆に利用される必要はなく、医療施設内に配置されている医療装置等の医療用物品がドレープの被覆対象とされてもよい。ドレープにより医療装置が被覆される場合、当該医療装置の操作部等が開口２０を介して露出されてもよい。また、医療用物品を部分的に露出させる必要がない場合、ドレープは開口を有さない構造とされる。
【図面の簡単な説明】
【００８５】
【図１】第１の実施の形態に係るドレープの平面図である。
【図２】ドレープの一部を拡大して示す平面図である。
【図３．Ａ】ドレープの断面図である。
【図３．Ｂ】ドレープの断面図である。
【図４】第２の実施の形態に係るドレープの平面図である。
【図５】ドレープの断面図である。
【図６】第３の実施の形態に係るドレープの断面図である。
【図７．Ａ】切り込み線の他の例を示す図である。
【図７．Ｂ】切り込み線の他の例を示す図である。
【図７．Ｃ】切り込み線の他の例を示す図である。
【図７．Ｄ】切り込み線の他の例を示す図である。
【図７．Ｅ】切り込み線の他の例を示す図である。
【図７．Ｆ】切り込み線の他の例を示す図である。
【図７．Ｇ】切り込み線の他の例を示す図である。
【図８】ドレープの他の例を示す図である。
【図９】ドレープの他の例を示す図である。
【符号の説明】
【００８６】
１，１ａ〜１ｄ    ドレープ
３    粘着層
２０    開口
２１    下面
２２    上面
２３，２３ａ    非貫通切り込み部
２４    被覆部
２５，２５ａ，２５ｂ    切り込み線
４１    上層シート
４２    下層シート
２５１，２５１ａ〜２５１ｊ    切り込み
２５１ａ    第１切り込み
２５１ｂ    第２切り込み
２６１    切り込み
４１１    貫通切り込み
【図１】
2008154902.tif 000003
【図２】
2008154902.tif 000004
【図３．Ａ】
2008154902.tif 000005
【図３．Ｂ】
2008154902.tif 000006
【図４】
2008154902.tif 000007
【図５】
2008154902.tif 000008
【図６】
2008154902.tif 000009
【図７．Ａ】
2008154902.tif 000010
【図７．Ｂ】
2008154902.tif 000011
【図７．Ｃ】
2008154902.tif 000012
【図７．Ｄ】
2008154902.tif 000013
【図７．Ｅ】
2008154902.tif 000014
【図７．Ｆ】
2008154902.tif 000015
【図７．Ｇ】
2008154902.tif 000016
【図８】
2008154902.tif 000017
【図９】
2008154902.tif 000018